(57)【特許請求の範囲】
【請求項１】
電子機器であって、
同時に視認可能な複数の表示画面と、
前記複数の表示画面の輝度を制御する輝度制御部と、
前記電子機器の電源を生成する電池と、
外部装置と通信する通信部と
を備え、
前記輝度制御部は、前記複数の表示画面の一部の表示画面の輝度を下げる動作モードを有し、
前記輝度制御部は、前記通信部と外部装置との間のデータ転送中に前記動作モードを実行し、
前記通信部と外部装置との間のデータ転送が開始すると、前記一部の表示画面には、前記動作モードを実行するか否かを前記電子機器に指示するための指示入力画面が表示され、
前記指示入力画面に対して、前記動作モードを実行することを前記電子機器に指示するための第１操作が行われると、前記輝度制御部は前記動作モードを実行し、
前記指示入力画面に対して、前記動作モードを実行しないことを前記電子機器に指示するための第２操作が行われると、前記輝度制御部は前記動作モードを実行しない、電子機器。
【請求項２】
請求項１に記載の電子機器であって、
前記輝度制御部は、前記動作モードにおいて、前記一部の表示画面の輝度を下げて、当該一部の表示画面の表示をオフにする、電子機器。
【請求項３】
請求項１及び請求項２のいずれか一つに記載の電子機器であって、
前記データ転送には、前記通信部が外部装置からプログラムをダウンロードする処理及び前記通信部が外部装置に対してデータを転送してバックアップする処理の少なくとも一つが含まれる、電子機器。
【請求項４】
請求項１乃至請求項３のいずれか一つに記載の電子機器であって、
前記輝度制御部は、前記電池の電圧がしきい値電圧よりも小さいときに前記動作モードを実行する、電子機器。
【請求項５】
請求項４に記載の電子機器であって、
前記輝度制御部は、前記電池の電圧が前記しきい値電圧よりも低下すると自動的に前記動作モードを実行する、電子機器。
【請求項６】
請求項１乃至請求項５のいずれか一つに記載の電子機器であって、
前記複数の表示画面の間での相対的な姿勢は変更可能であり、
前記相対的な姿勢を検出する姿勢検出部をさらに備え、
前記輝度制御部は、前記姿勢検出部で検出された前記相対的な姿勢に応じて、前記複数の表示画面のうち、前記動作モードにおいて輝度を下げる前記一部の表示画面となる少なくとも一つの表示画面を決定する、電子機器。
【請求項７】
請求項１乃至請求項６のいずれか一つに記載の電子機器であって、
前記複数の表示画面のうち、前記動作モードにおいて輝度が下げられる前記一部の表示画面となる少なくとも一つの表示画面を指定する指定操作を受け付ける操作部をさらに備える、電子機器。
【発明の詳細な説明】
【技術分野】
【０００１】
本発明は、同時に視認可能な複数の表示画面を備える電子機器に関する。
【背景技術】
【０００２】
従来から電子機器に関して様々な技術が提案されている。例えば特許文献１には、同時に視認可能な複数の表示画面を備える電子機器に関する技術が開示されている。
【先行技術文献】
【特許文献】
【０００３】
【特許文献１】特開２００５−２１８７７８号公報
【発明の概要】
【発明が解決しようとする課題】
【０００４】
特許文献１に記載されている電子機器においては、表示画面が複数設けられていることから、消費電力が増大する傾向にある。
【０００５】
そこで、本発明は上述の点に鑑みて成されたものであり、同時に視認可能な複数の表示画面を備える電子機器の消費電力を低減することが可能な技術を提供することを目的とする。
【課題を解決するための手段】
【０００６】
上記課題を解決するため、本発明に係る電子機器は、同時に視認可能な複数の表示画面と、前記複数の表示画面の輝度を制御する輝度制御部と、前記電子機器の電源を生成する電池と、外部装置と通信する通信部とを備え、前記輝度制御部は、前記複数の表示画面の一部の表示画面の輝度を下げる動作モードを有し、前記輝度制御部は、前記通信部と外部装置との間のデータ転送中に前記動作モードを実行し、前記通信部と外部装置との間のデータ転送が開始すると、前記一部の表示画面には、前記動作モードを実行するか否かを前記電子機器に指示するための指示入力画面が表示され、前記指示入力画面に対して、前記動作モードを実行することを前記電子機器に指示するための第１操作が行われると、前記輝度制御部は前記動作モードを実行し、前記指示入力画面に対して、前記動作モードを実行しないことを前記電子機器に指示するための第２操作が行われると、前記輝度制御部は前記動作モードを実行しない。
【０００７】
また、本発明に係る電子機器の一態様では、前記輝度制御部は、前記動作モードにおいて、前記一部の表示画面の輝度を下げて、当該一部の表示画面の表示をオフにする。
【０００９】
また、本発明に係る電子機器の一態様では、前記データ転送には、前記通信部が外部装置からプログラムをダウンロードする処理及び前記通信部が外部装置に対してデータを転送してバックアップする処理の少なくとも一つが含まれる。
【００１０】
また、本発明に係る電子機器の一態様では、前記輝度制御部は、前記電池の電圧がしきい値電圧よりも小さいときに前記動作モードを実行する。
【００１２】
また、本発明に係る電子機器の一態様では、前記輝度制御部は、前記電池の電圧が前記しきい値電圧よりも低下すると自動的に前記動作モードを実行する。
【００１４】
また、本発明に係る電子機器の一態様では、前記複数の表示画面の間での相対的な姿勢は変更可能であり、前記相対的な姿勢を検出する姿勢検出部がさらに設けられ、前記輝度制御部は、前記姿勢検出部で検出された前記相対的な姿勢に応じて、前記複数の表示画面のうち、前記動作モードにおいて輝度を下げる前記一部の表示画面となる少なくとも一つの表示画面を決定する。
【００１５】
また、本発明に係る電子機器の一態様では、前記複数の表示画面のうち、前記動作モードにおいて輝度が下げられる前記一部の表示画面となる少なくとも一つの表示画面を指定する指定操作を受け付ける操作部がさらに設けられている。
【発明の効果】
【００１６】
本発明によれば、電子機器の消費電力を低減することができる。
【図面の簡単な説明】
【００１７】
【図１】本実施の形態に係る閉状態の電子機器の外観を示す斜視図である。
【図２】本実施の形態に係る閉状態の電子機器の外観を示す斜視図である。
【図３】本実施の形態に係る開状態の電子機器の外観を示す斜視図である。
【図４】本実施の形態に係る開状態の電子機器の外観を示す斜視図である。
【図５】本実施の形態に係る電子機器の電気的構成を示すブロック図である。
【図６】本実施の形態に係る表示部の構成を示す図である。
【図７】本実施の形態に係る電子機器の動作を示すフローチャートである。
【図８】本実施の形態に係る電子機器の表示例を示す図である。
【図９】本実施の形態に係る電子機器の表示例を示す図である。
【図１０】本実施の形態に係る電子機器の表示例を示す図である。
【図１１】本実施の形態に係る電子機器の表示例を示す図である。
【図１２】本実施の形態に係る電子機器の表示例を示す図である。
【図１３】本実施の形態に係る電子機器の表示例を示す図である。
【図１４】本実施の形態に係る電子機器の表示例を示す図である。
【図１５】本実施の形態に係る電子機器の表示例を示す図である。
【図１６】本実施の形態に係る電子機器の動作を示すフローチャートである。
【図１７】本実施の形態に係る電子機器の変形例の表示例を示す図である。
【図１８】本実施の形態に係る電子機器の変形例の表示例を示す図である。
【図１９】本実施の形態に係る電子機器の変形例の表示例を示す図である。
【図２０】本実施の形態に係る電子機器の変形例の表示例を示す図である。
【図２１】本実施の形態に係る電子機器の変形例の表示例を示す図である。
【図２２】本実施の形態に係る電子機器の変形例の表示例を示す図である。
【発明を実施するための形態】
【００１８】
図１〜４は、本実施の形態に係る電子機器１００の外観を示す斜視図である。電子機器１００は、例えば、開閉可能な携帯電話機であって、第１筐体１と第２筐体２とを備えている。図１は、閉じた状態（閉状態）の電子機器１００を第１筐体１側から見た場合の図であり、図２は、閉じた状態の電子機器１００を第２筐体２側から見た場合の図である。図３，４は、開いた状態（開状態）の電子機器１００を示している。
【００１９】
ここで、電子機器１００が閉じた状態とは、図１，２に示されるように、第１筐体１に設けられた第１表示部３ａの第１表示画面４ａが露出した状態で、第１筐体１と第２筐体２とが互いに重なるように配置された状態である。この場合、第１表示画面４ａと、第２筐体２に設けられた第２表示部３ｂの第２表示画面４ｂとは、間をあけて重なり合った状態となるので、両者の成す角度は０度と言うことができる。
【００２０】
一方で、電子機器１００が開いた状態とは、図３，４に示されるように、第１表示部３ａの第１表示画面４ａと、第２表示部３ｂの第２表示画面４ｂとが、同時に視認可能となるように、第１筐体１と第２筐体２とが重ならないように配置された状態である。図３に示される電子機器１００は、第１表示画面４ａ及び第２表示画面４ｂが１８０度を成すように、言い換えれば、同一平面上に位置するように開いており、図４に示される電子機器１００は、第１表示画面４ａ及び第２表示画面４ｂが０度よりも大きく１８０度よりも小さい角度を成すように開いている。以後、図３に示されるように、第１表示画面４ａ及び第２表示画面４ｂが同一平面上に位置する状態を「フラット状態」と呼ぶ。また、図４に示されるように、第１表示画面４ａ及び第２表示画面４ｂが０度よりも大きく１８０度よりも小さい角度を成すように開いている状態を「チルト状態」と呼ぶ。
【００２１】
第１表示部３ａは、タッチパネル機能を有しており、ユーザの第１表示画面４ａに対する操作を受け付ける操作部して機能する。同様に、第２表示部３ｂは、タッチパネル機能を有しており、ユーザの第２表示画面４ｂに対する操作を受け付ける操作部として機能する。
【００２２】
以後、操作部としての機能に着目して第１表示部３ａを説明する場合には、第１表示部３ａを「第１操作部５ａ」と呼ぶことがある。同様に、操作部としての機能に着目して第２表示部３ｂを説明する場合には、第２表示部３ｂを「第２操作部５ｂ」と呼ぶことがある。
【００２３】
また、第１表示部３ａ及び第２表示部３ｂを特に区別する必要がない場合には、それぞれを「表示部３」と呼び、それぞれの表示画面を「表示画面４」と呼ぶ。また、第１操作部５ａ及び第２操作部５ｂを特に区別する必要がない場合には、それぞれを「操作部５」と呼ぶ。
【００２４】
第１筐体１と第２筐体２とは、ヒンジ部９及びアーム部１０によって連結されている。ヒンジ部９は、第２筐体２に設けられている。アーム部１０は、第２筐体２に対して角度変更可能となるようにヒンジ部９に接続されている。また、アーム部１０は、第１筐体１に対して角度変更可能となるように当該第１筐体１に接続されている。電子機器１００では、ヒンジ部９及びアーム部１０の働きによって、図１，２の閉状態から、図４のチルト状態に遷移することができ、図４のチルト状態から図３のフラット状態に遷移することができる。また、電子機器１００では、ヒンジ部９及びアーム部１０の働きによって、図３のフラット状態から図４のチルト状態へ、図４のチルト状態から図１，２の閉状態へ遷移することが可能である。なお、第１筐体１と第２筐体２との連結手段は、ヒンジ部９及びアーム部１０から成る連結手段に限らず、他の構成の連結手段を使用して第１筐体１及び第２筐体２を連結しても良い。
【００２５】
第１筐体１には、第１表示部３ａ以外にも、音出力部７及び音声入力部８が設けられている。音出力部７はスピーカを有しており、音声入力部８はマイクを有している。
【００２６】
第２筐体２には、第２表示部３ｂ以外にも、ユーザの操作を受け付ける第３操作部６が設けられている。第３操作部６は、複数の操作ボタン６ａ〜６ｄを備えている。複数の操作ボタン６ａ〜６ｄのそれぞれは、第２筐体２の側面に設けられており、ユーザの押下操作を受け付ける。
【００２７】
＜電気的構成＞
図５は電子機器１００の電気的構成を示すブロック図である。図５に示されるように、電子機器１００は、上述の第１表示部３ａ、第２表示部３ｂ、第３操作部６、音出力部７及び音声入力部８以外にも、通信部１１と、記憶部１２と、画面姿勢検出部１３と、電池１４と、制御部１５とを備えている。
【００２８】
制御部１５は、ＣＰＵ（Central Processing Unit）及びＤＳＰ（Digital Signal Processor）などで構成されており、電子機器１００の他の構成要素を制御することによって、電子機器１００の動作を統括的に管理する。記憶部１２は、ＲＯＭ（Read Only Memory）及びＲＡＭ（Random Access Memory）等で構成されており、ＯＳプログラム及び複数のアプリケーションプログラム等を記憶している。制御部１５の各種機能は、制御部１５のＣＰＵ及びＤＳＰが記憶部１２内の各種プログラムを実行することによって実現される。
【００２９】
通信部１１は、外部装置と無線通信を行う無線通信部１１０と、外部装置と有線通信を行う有線通信部１１１とで構成されている。
【００３０】
無線通信部１１０は、電子機器１００とは別の携帯電話機や、インターネットに接続されたウェブサーバ等の通信装置からの信号を、図示しない基地局を通じてアンテナ１１０ａで受信する。無線通信部１１０は、受信信号に対して増幅処理やダウンコンバートを行って制御部１５に出力する。制御部１５は、入力された受信信号に対して復調処理等を行って、当該受信信号に含まれる、音声データ、画像データ等の各種データを取得する。また無線通信部１１０は、制御部１５で生成された、音声データ等を含む送信信号に対してアップコンバートや増幅処理を行って、処理後の送信信号をアンテナ１１０ａを通じて、電子機器１００とは別の携帯電話機や、インターネットに接続された通信装置に向けて無線送信する。
【００３１】
有線通信部１１１は、例えば、外部装置とＵＳＢ（Universal Serial Bus)通信を行う。有線通信部１１１は、外部装置からのデータを受信すると、当該データを制御部１５に入力する。また有線通信部１１１は、制御部１５からデータが入力されると、当該データを外部装置に送信する。
【００３２】
音出力部７は、制御部１５からの音声データや音楽データ等の音データを音に変換して外部に出力する。音声入力部８は、外部から入力される音声を音声データに変換して制御部１５に出力する。
【００３３】
第１表示部３ａと第２表示部３ｂとは同様の構成を有している。各表示部３は、例えば、カラー表示を行うバックライト方式の液晶表示部であって、制御部１５による制御によって、文字、記号、図形などの各種情報を表示する。図６は各表示部３の構成を示す図である。
【００３４】
図６に示されるように、表示部３は、液晶表示パネル３０と、導光板３１と、バックライト３２とを備えている。バックライト３２は、例えば、複数の白色ＬＥＤ（Light Emitting Diode）３２ａで構成されている。なお、図６では、複数の白色ＬＥＤ３２ａのうちの一つだけが示されている。導光板３１は、液晶表示パネル３０の背面側に配置されており、複数の白色ＬＥＤ３２ａが発する白色光ＷＬを、液晶表示パネル３０に向けて導光する。これにより、液晶表示パネル３０の表示面、つまり表示部３の表示画面４には、その背面側から、バックライト３２が発する白色光ＷＬが照射される。
【００３５】
なお、表示部３は、液晶表示部以外の表示部であっても良い。例えば、表示部３は、有機ＥＬディスプレイであっても良いし、複数のＬＥＤがマトリックス状に配列された表示部であっても良い。
【００３６】
制御部１５は、液晶表示パネル３０に駆動電圧を与えることによって、当該液晶表示パネル３０の表示を制御する。また制御部１５は、バックライト３２を構成する各白色ＬＥＤ３２ａを駆動する。
【００３７】
画面姿勢検出部１３は、第１表示画面４ａと第２表示画面４ｂとの間の相対的な姿勢を検出する。画面姿勢検出部１３は、例えば、第１表示画面４ａと第２表示画面４ｂとが図１，２のように互いに重なった状態になった際にオンする第１スイッチ（図示せず）と、第１表示画面４ａと第２表示画面４ｂとが図３のようにフラット状態になった際にオンする第２スイッチ（図示せず）と、第１表示画面４ａと第２表示画面４ｂとが図４のようにチルト状態になった際にオンする第３スイッチ（図示せず）とで構成されている。これにより、画面姿勢検出部１３は、第１表示画面４ａと第２表示画面４ｂとが、互いに重なった状態であるのか、フラット状態であるのか、チルト状態であるのかを検出することができる。画面姿勢検出部１３での検出結果は制御部１５に通知される。
【００３８】
電池１４は、電子機器１００の電源を生成する。電池１４で生成された電源は、電子機器１００が備える制御部１５及び通信部１１などに含まれる各電子部品に対して供給される。
【００３９】
＜表示画面の輝度低下方法＞
上述のように、本実施の形態に係る電子機器１００では、複数の表示画面４が設けられている。複数の表示画面４のうちの第１表示画面４ａだけが視認可能な状態で電子機器１００が使用される場合には、つまり、画面姿勢検出部１３が、第１表示画面４ａと第２表示画面４ｂとが互いに重なった状態であることを検出すると、第１表示画面４ａだけが表示を行うようになる。
【００４０】
これに対して、複数の表示画面４が視認可能な状態で電子機器１００が使用される場合には、つまり、画面姿勢検出部１３が、第１表示画面４ａと第２表示画面４ｂとが、フラット状態であることを検出するか、チルト状態であることを検出すると、複数の表示画面４のそれぞれが表示を行うようになる。したがって、開状態（フラット状態あるいはチルト状態）で使用される電子機器１００では、閉状態で使用される電子機器１００よりも消費電力が大きくなる。
【００４１】
そこで、本実施の形態では、開状態の電子機器１００での消費電力を低減するために、複数の表示画面４のうちの一部の表示画面４の輝度を下げることが可能となっている。以下に、この輝度低下処理について詳細に説明する。
【００４２】
本実施の形態では、制御部１５が、表示画面４の輝度を制御する輝度制御部として機能する。制御部１５は、表示部３のバックライト３２の輝度を制御することによって表示画面４の輝度を制御する。バックライト３２を構成する各白色ＬＥＤ３２ａに与える駆動電圧を変化させることによって、バックライト３２の輝度を変化させることができる。
【００４３】
制御部１５は、複数の表示画面４のうちの一部の表示画面４の輝度を下げる動作モードを有している。以後のこの動作モードを「輝度低下モード」と呼ぶ。制御部１５は、電子機器１００が所定の状態のときに、輝度低下モードを実行する。本実施の形態では、制御部１５は、開状態の電子機器１００での通信部１１と外部装置との間のデータ転送中に輝度低下モードを実行する。さらに、制御部１５は、開状態の電子機器１００において、電池１４の電圧（以後、「電池電圧」と呼ぶ）がしきい値よりも小さいときに輝度低下モードを実行する。以下に、データ転送中の輝度低下モードと、電池電圧が小さい場合の輝度低下モードについて詳細に説明する。
【００４４】
＜データ転送中の輝度低下モード＞
図７は、通信部１１と外部装置との間のデータ転送中に制御部１５が輝度低下モードを実行する際の電子機器１００の動作を示すフローチャートである。本実施の形態では、通信部１１と外部装置との間のデータ転送が開始すると、制御部１５は自動的に輝度低下モードを実行する。これにより、通信部１１と外部装置との間のデータ転送が開始すると、複数の表示画面４のうちの一部の表示画面４の輝度が自動的に下がるようになっている。
【００４５】
フラット状態あるいはチルト状態の電子機器１００において、通信部１１が、制御部１５による制御によって、図７に示されるように、外部装置との間のデータ転送をステップｓ１で開始すると、ステップｓ２において、制御部１５は輝度低下モードを実行する。その後、ステップｓ３において、通信部１１が外部装置との間のデータ転送を終了すると、制御部１５は、輝度低下モードを解除して、輝度を下げた表示画面４の輝度を元に戻す。
【００４６】
ステップｓ１でのデータ転送としては、比較的長い時間継続する処理、例えば、通信部１１が外部装置からプログラムのダウンロードする処理及び通信部１１が外部装置に対してデータを転送してバックアップする処理が含まれる。
【００４７】
例えば、通信部１１の無線通信部１１０が、図示しない基地局を介して、ネットワークに接続されたウェブサーバと通信することによって、アプリケーションプログラムや、記憶部１２に既に記憶されているプログラムに関するアップデートプログラムについての、当該ウェブサーバからのダウンロードを開始すると、制御部１５では輝度低下モードが実行される。これにより、開状態の電子機器１００では、プログラムのダウンロード中に、複数の表示画面４のうちの一部の表示画面４の輝度が低下する。
【００４８】
また、例えば、通信部１１の有線通信部１１１が、ハードディスクなどの外部記憶装置とＵＳＢ通信することによって、当該外部記憶装置に記憶部１２内のデータを転送してバックアップを開始すると、制御部１５では輝度低下モードが実行される。これにより、開状態の電子機器１００では、外部装置へのデータのバックアップ中に、複数の表示画面４のうちの一部の表示画面４の輝度が下がる。
【００４９】
本実施の形態では、制御部１５は、輝度低下モードにおいて、複数の表示画面４のうちの一部の表示画面４の輝度を下げて、当該一部の表示画面４の表示をオフにする。つまり、制御部１５は、輝度低下モードにおいて、複数の表示画面４のうちの一部の表示画面４の輝度を下げて、当該一部の表示画面４の表示が外部から視認できないようにしている。本実施の形態では、バックライト３２の各白色ＬＥＤ３２ａの発光を停止させることによって、表示画面４の表示をオフにすることができる。
【００５０】
また、本実施の形態では、制御部１５は、輝度低下モードにおいて、複数の表示画面４のうち、例えば第２表示画面４ｂの輝度を下げる。
【００５１】
図８は、制御部１５が輝度低下モードを実行する前の開状態の電子機器１００の表示例を示す図である。図９は、図８に示される電子機器１００において、制御部１５が輝度低下モードを実行した際の当該電子機器１００の表示例を示す図である。図８の例では、第１表示画面４ａには、無線通信部１１０が送信する電子メールを作成する画面（以後、「送信メール作成画面」と呼ぶ）が表示されている。また、第２表示画面４ｂには、音楽データが再生されている際に表示される画面（以後、「音声データ再生画面」と呼ぶ）が表示されている。
【００５２】
図８に示される電子機器１００において、例えば、記憶部１２が記憶しているプログラムについての自動アップデートが開始すると、制御部１５が輝度低下モードを実行するようになる。そうすると、電子機器１００では、図９に示されるように、第２表示画面４ｂの表示がオフとなり、第１表示画面４ａだけが表示を行う。
【００５３】
図１０は、制御部１５が輝度低下モードを実行する前の開状態の電子機器１００の他の表示例を示す図である。図１０の例では、第１表示画面４ａ及び第２表示画面４ｂの両方にわたって送信メール作成画面が表示されている。図１０に示される電子機器１００において、例えば、記憶部１２が記憶しているプログラムについての自動アップデートが開始すると、制御部１５が輝度低下モードを実行するようになる。そうすると、電子機器１００では、第２表示画面４ｂの表示がオフとなる。このとき、第１表示画面４ａ及び第２表示画面４ｂの両方にわたって表示されていた送信メール作成画面は、上述の図９に示されるように、第１表示画面４ａだけに表示されるようになる。このように、本実施の形態では、第１表示画面４ａ及び第２表示画面４ｂの両方にわたって１枚の画面が表示されている場合に制御部１５が輝度低下モードを実行すると、表示を維持する側の第１表示画面４ａに当該画面が表示されるようになる。
【００５４】
図１１は、制御部１５が輝度低下モードを実行する前の開状態の電子機器１００の他の表示例を示す図である。図１２は、図１１に示される電子機器１００において、制御部１５が輝度低下モードを実行した際の当該電子機器１００の表示例を示す図である。図１１の例では、第１表示画面４ａには、音楽データ再生画面が表示されている。また、第２表示画面４ｂには、ウェブサーバからアプリケーションプログラムなどのプログラムをダウンロードする際に表示される画面が表示されている。第２表示画面４ｂには、プログラムのダウンロードを行うことを電子機器１００に指示するための第１指示ボタン２００ａと、プログラムのダウンロードを行わないことを電子機器１００に指示するための第２指示ボタン２００ｂとが示されている。
【００５５】
図１１に示される電子機器１００において、第２表示画面４ｂに表示される第１指示ボタン２００ａがユーザによって操作されると、無線通信部１１０は、プログラムのダウンロードを開始して、制御部１５が輝度低下モードを実行する。そうすると、図１２に示されるように、第２表示画面４ｂの表示がオフとなる。一方で、第２表示画面４ｂに表示される第２指示ボタン２００ｂがユーザによって操作されると、プログラムのダウンロードは行われずに、第２表示画面４ｂの輝度は維持される。
【００５６】
図１３は、制御部１５が輝度低下モードを実行する前の開状態の電子機器１００の他の表示例を示す図である。図１４は、図１３に示される電子機器１００において、制御部１５が輝度低下モードを実行した際の当該電子機器１００の表示例を示す図である。図１３の例では、第１表示画面４ａには、動画を表示する際の画面が表示されている。また、第２表示画面４ｂには、外部記憶装置にデータをバックアップする際に表示される画面が表示されている。第２表示画面４ｂには、データのバックアップを行うことを電子機器１００に指示するための第１指示ボタン２１０ａと、データのバックアップを行わないことを電子機器１００に指示するための第２指示ボタン２１０ｂとが示されている。
【００５７】
図１３に示される電子機器１００において、第２表示画面４ｂに表示される第１指示ボタン２１０ａが操作されると、有線通信部１１１は、制御部１５を通じて記憶部１２内のデータを取得して、当該データの外部記憶装置へのバックアップを開始する。そうすると、制御部１５が輝度低下モードを実行し、図１４に示されるように、第２表示画面４ｂの表示がオフとなる。一方で、第２表示画面４ｂに表示される第２指示ボタン２１０ｂがユーザによって操作されると、データのバックアップは行われずに、第２表示画面４ｂの輝度は維持される。
【００５８】
なお、輝度低下モードにおいては、図１５に示されるように、第１表示画面４ａの輝度を下げて、その表示をオフにしても良い。
【００５９】
また、上記の例では、制御部１５は、プログラムのダウンロード中と、データのバックアップ中に輝度低下モードを実行しているが、プログラムのダウンロード中だけ輝度低下モードを実行しても良いし、データのバックアップ中だけ輝度低下モードを実行しても良い。
【００６０】
＜電池電圧が小さい場合の輝度低下モード＞
図１６は、電池電圧がしきい値よりも小さいときに制御部１５が輝度低下モードを実行する際の電子機器１００の動作を示すフローチャートである。本実施の形態では、電池電圧がしきい値よりも低下すると、制御部１５は自動的に輝度低下モードを実行する。これにより、電池電圧がしきい値よりも低下すると、複数の表示画面４のうちの一部の表示画面４の輝度が自動的に下がるようになっている。
【００６１】
図１６に示されるように、開状態の電子機器１００において、制御部１５が、ステップｓ１１において、電池電圧がしきい値よりも低下したことを検出すると、ステップｓ１２において、制御部１５は輝度低下モードを実行する。これにより、上述の図９と同様に、第２表示画面４ｂの輝度が低下して、表示画面４ｂの表示がオフとなる。
【００６２】
その後、電池１４が充電されて、制御部１５が、ステップｓ１３において、電池電圧がしきい値電圧以上になったことを検出すると、制御部１５は輝度低下モードを解除して、第２表示画面４ａの輝度を元に戻す。これにより、開状態の電子機器１００では、第１表示画面４ａ及び第２表示画面４ｂの両方が表示するようになる。
【００６３】
以上のように、本実施の形態に係る電子機器１００では、制御部１５が、輝度低下モード、つまり、複数の表示画面４のうちの一部の表示画面４の輝度を下げる動作モードを有しているため、電子機器１００の消費電力を低減することができる。
【００６４】
また、本実施の形態では、通信部１１と外部装置との間のデータ転送中に、輝度低下モードが実行されるため、データ転送中に電池電圧が低下して電子機器１００の動作が停止することを防止することができる。その結果、データ転送の失敗を抑制することができる。
【００６５】
また、本実施の形態では、電池電圧がしきい値よりも小さいときに輝度低下モードが実行されるため、電池電圧が小さいときに電子機器１００の消費電力を低減することができる。よって、電子機器１００の動作がすぐに停止することを防止することができる。
【００６６】
＜各種変形例＞
以下に、上述の実施の形態についての様々な変形例について説明する。
【００６７】
＜第１変形例＞
上記の実施の形態では、輝度低下モードにおいて、輝度を下げる対象の表示画面４の表示がオフになるまで当該表示画面４の輝度を下げていたが、当該表示画面４の表示がオフとならない程度に、つまり、当該表示画面４の表示が視認できる程度に、当該表示画面４の輝度を下げても良い。この場合であっても、電子機器１００の消費電力を低減することができる。
【００６８】
＜第２変形例＞
上記の実施の形態及びその変形例では、通信部１１と外部装置との間のデータ転送が開始すると、制御部１５は自動的に輝度低下モードを実行しているが、操作部５が、輝度低下モードの実行を指示する指示操作を受け付けると、制御部１５は、通信部１１と外部装置との間のデータ転送中に輝度低下モードを実行しても良い。図１７は、本変形例に係る電子機器１００の表示例を示す図である。図１７では、上述の図８のような表示を行っている、本変形例に係る電子機器１００において、通信部１１と外部装置との間のデータ転送が開始した際の当該電子機器１００の表示例が示されている。
【００６９】
図１７に示されるように、本変形例に係る電子機器１００では、通信部１１と外部装置との間のデータ転送が開始すると、第２表示画面４ｂには、輝度低下モードを実行するか否かを電子機器１００に指示するための指示入力画面３００が、音声データ再生画面に重ねて表示される。この指示入力画面３００には、輝度低下モードを実行することを電子機器１００に指示するための第１指示ボタン３００ａと、輝度低下モードを実行しないことを電子機器１００に指示するための第２指示ボタン３００ｂとが示されている。図１７に示される電子機器１００において、第２操作部５ｂが、ユーザによる第１指示ボタン３００ａに対する操作を受け付けると、つまり、輝度低下モードの実行を指示する指示操作を受け付けると、制御部１５は輝度低下モードを実行する。そうすると、上述の図９に示されるように、第２表示画面４ｂの輝度が下がって、その表示がオフとなる。一方で、第２操作部５ｂが、ユーザによる第２指示ボタン３００ｂに対する操作を受け付けると、第２表示画面４ｂの輝度は維持される。
【００７０】
同様にして、操作部５が、輝度低下モードの実行を指示する指示操作を受け付けると、制御部１５は、電池電圧がしきい値電圧よりも小さいときに輝度低下モードを実行しても良い。具体的には、制御部１５は、電池電圧がしきい値電圧よりも低下すると、上述の指示入力画面３００を第２表示画面４ｂに表示する。そして、第２操作部５ｂが、ユーザによる第１指示ボタン３００ａに対する操作を受け付けると、制御部１５は輝度低下モードを実行する。
【００７１】
なお、指示入力画面３００については、第２表示画面４ｂではなく第１表示画面４ａに表示しても良い。
【００７２】
また、図１８に示されるように、指示入力画面３００の代わりに、輝度を下げることをユーザに通知する通知画面３１０を表示しても良い。この場合には、通知画面３１０を見たユーザは、第１操作部５ａあるいは第２操作部５ｂに対して、輝度低下モードの実行を指示する指示操作を行う。この指示操作を第１操作部５ａあるいは第２操作部５ｂが受け付けると、制御部１５は輝度低下モードを実行する。図１８の例では、通知画面３１０には「輝度を下げてください。」という文字列が示されているが、他の文字列であっても良い。本例では、表示画面４の輝度を下げて、その表示をオフにしていることから、例えば「１画面表示に切り替えてください。」という文字列であっても良い。
【００７３】
＜第３変形例＞
上記の実施の形態及びその変形例では、複数の表示画面４のうち、輝度を下げる表示画面４が予め決まっていたが、ユーザが、複数の表示画面４から、輝度を下げる表示画面４を指定できるようにしても良い。
【００７４】
図１９は本変形例に係る電子機器１００の表示例を示す図である。図１９の例では、輝度を下げる表示画面４を指定するための指定画面４００が第２表示画面４ｂに表示されている。指定画面４００には、輝度を下げる表示画面４として第１表示画面４ａを指定するための第１指定ボタン４００ａと、輝度を下げる表示画面４として第２表示画面４ｂを指定するための第２指定ボタン４００ｂとが示されている。ユーザが第２操作部５ｂに対して所定の操作を行うと、第２表示画面４ｂには指定画面４００が表示されるようになる。
【００７５】
図１９に示される電子機器１００において、第２操作部５ｂが、ユーザによる第１指定ボタン４００ａに対する操作を受け付けると、制御部１５は、輝度低下モードにおいて輝度を下げる表示画面４を第１表示画面４ａとする。一方で、第２操作部５ｂが、ユーザによる第２指定ボタン４００ａに対する操作を受け付けると、制御部１５は、輝度低下モードにおいて輝度を下げる表示画面４を第２表示画面４ｂとする。
【００７６】
なお、図１９の例では、指定画面４００には「輝度を下げる画面を指定してください。」という文字列が示されているが、他の文字列であっても良い。本例では、表示画面４の輝度を下げて、その表示をオフにしていることから、例えば「表示をオフにする表示画面を指定してください。」という文字列であっても良い。
【００７７】
また、ユーザが第１操作部５ａに対して所定の操作を行うと、指定画面４００を第１表示画面４ａに表示しても良い。
【００７８】
＜第４変形例＞
上記の実施の形態と第１及び第２変形例では、複数の表示画面４のうち、輝度を下げる表示画面４が予め決まっていたが、複数の表示画面４の間での相対的な姿勢に応じて、制御部１５が、複数の表示画面４のうち、輝度を下げる表示画面４を決定しても良い。以下に、本変形例に係る電子機器１００の動作について詳細に説明する。
【００７９】
上述のように、開状態の電子機器１００においては、第１表示画面４ａと第２表示画面４ｂとの間の相対的な姿勢に関して、第１表示画面４ａと第２表示画面４ｂとが同一平面上に位置するフラット状態と、第１表示画面４ａ及び第２表示画面４ｂが０度よりも大きく１８０度よりも小さい角度を成すチルト状態との２つの状態が存在する。制御部１５は、輝度低下モードを実行する際に、画面姿勢検出部１３での検出結果を確認し、第１表示画面４ａと第２表示画面４ｂとがフラット状態にある場合には、輝度を下げる表示画面４を第１表示画面４ａとする。一方で、制御部１５は、第１表示画面４ａと第２表示画面４ｂとがチルト状態にある場合には、輝度を下げる表示画面４を第２表示画面４ｂとする。これにより、制御部１５では、複数の表示画面４の間での相対的な姿勢に応じて、輝度低下モードにおいて輝度を下げる表示画面４が決定される。
【００８０】
＜第５変形例＞
上記の実施の形態と第１及び第２変形例では、複数の表示画面４のうち、輝度を下げる表示画面４が予め決まっていたが、制御部１５は、各表示画面４が表示する内容に応じて、輝度を下げる表示画面４を決定しても良い。例えば、上述の図８に示されるように、第１表示画面４ａに送信メール作成画面が表示され、第２表示画面４ｂに音声データ再生画面が表示されている場合では、ユーザは、音声が聞こえている限り、音声データ再生画面が視認できなくなってもそれほど困らないことから、制御部１５は、輝度を下げる表示画面４を第２表示画面４ｂとする。
【００８１】
また、上述の図１０に示されるように、第１表示画面４ａ及び第２表示画面４ｂの両方にわたって送信メール作成画面が表示されている場合には、送信メールの本文だけが表示されている第２表示画面４ｂの輝度を下げてもユーザはそれほど困らないことから、制御部１５は、輝度を下げる表示画面４を第２表示画面４ｂとしても良い。
【００８２】
また、上述の図１３に示されるように、第１表示画面４ａに動画を表示する際の画面が表示され、第２表示画面４ｂに外部記憶装置にデータをバックアップする際に表示される画面が表示されている場合には、第２表示画面４ｂの輝度を下げてもユーザはそれほど困らないことから、制御部１５は、輝度を下げる表示画面４を第２表示画面４ｂとしても良い。
【００８３】
＜第６変形例＞
上述の図８に示されるように、複数の表示画面４において、互いに異なるアプリケーションプログラムに対応する表示が行われている場合には、各表示画面４の表示に対応するアプリケーションプログラムに応じて、制御部１５は、輝度を下げる表示画面４を決定しても良い。
【００８４】
図８の例のように、第１表示画面４ａが、電子メールの送受信を行うためのアプリケーションプログラムに対応する表示を行い、第２表示画面４ｂが、音声データを再生するためのアプリケーションプログラムに対応する表示を行っている場合には、音声データを再生するためのアプリケーションプログラムに対応する表示が行われている第２表示画面４ｂの輝度を下げるようにしても良い。
【００８５】
このように、各表示画面４の表示に対応するアプリケーションプログラムに応じて、輝度を下げる表示画面４を決定する場合には、アプリケーションプログラムごとに、それに対応する表示が表示画面４で行われている際にその表示画面４の輝度を下げる優先度について、ユーザが操作部５を操作することによって設定できるようにすることが望ましい。この場合には、制御部１５は、複数の表示画面４のうち、その表示に対応するアプリケーションプログラムに設定された優先度が最も高い表示画面４の輝度を下げるようにする。
【００８６】
＜第７変形例＞
上記の実施の形態及びその変形例では、プログラムのダウンロードやデータのバックアップが行われる際には、必ず輝度低下モードを実行していたが、データ転送が所定時間よりも長く行われる場合にだけ、輝度低下モードを実行しても良い。以下に本変形例に係る電子機器１００の動作について説明する。
【００８７】
制御部１５は、通信部１１と外部装置との間においてデータ転送が行われる際に、そのデータ転送にかかる時間を推定する。例えば、制御部１５は、無線通信部１１０がウェブサーバからプログラムをダウンロードする際には、そのプログラムのデータ量と、無線通信部１１０と外部装置との間のデータ通信速度とに基づいて、当該プログラムのダウンロードにかかる時間を推定する。また、制御部１５は、有線通信部１１１が記憶部１２の所定のデータを外部装置にバックアップする際には、そのデータのデータ量と、有線通信部１１１と外部装置との間のデータ通信速度とに基づいて、当該データのバックアップにかかる時間を推定する。
【００８８】
制御部１５は、データ転送にかかる時間を推定すると、その時間が所定時間よりも大きい場合には、当該データ転送が行われている際に輝度低下モードを実行する。一方で、制御部１５は、推定した時間が所定時間以下である場合には、そのデータ転送が開始した場合であっても輝度低下モードを実行しない。
【００８９】
このように、データ転送が所定時間よりも長く行われる場合にだけ輝度低下モードを実行する場合であっても、電子機器１００の消費電力を低減することができる。
【００９０】
＜第８変形例＞
上述の実施の形態及びその変形例に係る電子機器１００は、２つの表示画面４を備える携帯電話機であったが、３つ以上の表示画面４を備えて、当該３つ以上の表示画面４が同時に視認可能となるような態様で使用される電子機器であっても良い。このような、３つ以上の表示画面４を備える電子機器１００であっても、外部装置との間のデータ転送中や電池電圧が小さいときに、当該３つ以上の表示画面４のうちの少なくとも一つの表示画面４の輝度を下げることによって、電子機器１００の消費電力を低減することができる。
【００９１】
図２０は、電子機器１００に対して第３表示部３ｃをさらに設けた場合の当該電子機器１００の表示例を示す図である。第３表示部３ｃは、第２筐体２に接続された第３筐体５００に設けられている。図２０の表示例では、第１表示画面４ａ及び第２表示画面４ｂにわたって送信メール作成画面が表示され、第３表示部３ｃの第３表示画面４ｃに音楽データ再生画面が表示されている。
【００９２】
図２０に示される電子機器１００において、制御部１５が輝度低下モードを実行すると、図２１に示されるように、例えば、第３表示画面４ｃの輝度が低下して、その表示がオフとなる。あるいは、制御部１５が輝度低下モードを実行すると、図２２に示されるように、例えば、第２表示画面４ｂ及び第３表示画面４ｃの輝度が低下して、それらの表示がオフとなる。この場合には、第１表示画面４ａ及び第２表示画面４ｂにわたって表示されていた１枚の送信メール作成画面は、第１表示画面４ａだけに表示されるようになる。
【００９３】
＜その他の変形例＞
上述の実施の形態及びその変形例では、本願発明を携帯電話機に適用する場合を例にあげて説明したが、本願発明は携帯電話機以外の電子機器にも適用することができる。例えば、本願発明は、ゲーム機、ノート型のパーソナルコンピュータ、電子ブック、ナビゲーションシステム、音楽プレーヤなどに適用することができる。
【００９４】
また、本願発明は、上述の電子機器１００とは異なり、複数の表示画面が常に同時に視認可能な状態である電子機器に対しても適用することができる。また、本願発明は、開状態では複数の表示画面を同時に視認可能であるものの、閉状態では複数の表示画面のすべてが視認できないような電子機器に対しても適用することができる。例えば、２つの筐体を互いに重なるように折り畳むことができる２つ折り型の携帯電話機やノート型のパーソナルコンピュータにおいて、当該２つの筐体の内側面のそれぞれに表示画面が形成されたものに対しても、本願発明を適用することができる。
【符号の説明】
【００９５】
４  表示画面
４ａ  第１表示画面
４ｂ  第２表示画面
４ｃ  第３表示画面
５  操作部
５ａ  第１操作部
５ｂ  第２操作部
１１  通信部
１４  電池
１５  制御部
１００  電子機器
【図１】
0005620830.tif 000002
【図２】
0005620830.tif 000003
【図３】
0005620830.tif 000004
【図４】
0005620830.tif 000005
【図５】
0005620830.tif 000006
【図６】
0005620830.tif 000007
【図７】
0005620830.tif 000008
【図８】
0005620830.tif 000009
【図９】
0005620830.tif 000010
【図１０】
0005620830.tif 000011
【図１１】
0005620830.tif 000012
【図１２】
0005620830.tif 000013
【図１３】
0005620830.tif 000014
【図１４】
0005620830.tif 000015
【図１５】
0005620830.tif 000016
【図１６】
0005620830.tif 000017
【図１７】
0005620830.tif 000018
【図１８】
0005620830.tif 000019
【図１９】
0005620830.tif 000020
【図２０】
0005620830.tif 000021
【図２１】
0005620830.tif 000022
【図２２】
0005620830.tif 000023